(57)【要約】【課題】ウォータジェットによって飛散するアスベスト等の被覆を効率良く回収することができるアスベスト除去装置を提供する。【解決手段】ノズル３の噴射口３ａからアスベスト導入口２ｄに向けてウォータジェットＷを噴射することによって、アスベスト層２３の厚みに関わらず、ノズル３とアスベスト導入口２ｄとの間に存在するアスベストをウォータジェットＷの水圧で粉砕すると同時に、アスベストを周囲へ飛散させることなくアスベスト導入口２ｄへ押し込むことができる。更に、筺体２の内部空間２ａは吸引機４によって負圧に保持されているため、アスベスト及びアスベストの切除に利用した水を効率よく、内部空間２ａに吸い込むことができる。これによって、ウォータジェットＷにより飛散するアスベスト及びアスベストの切除に利用した水を筺体２内に効率良く取り込むことができ、筺体２内のアスベストは吸引機４によって筺体２外へ排出される。【選択図】図２
2008297884.tif 000002
【特許請求の範囲】
【請求項１】
構造物上に形成された被覆層上で移動させながら前記被覆層を水圧によって粉砕し除去する被覆除去装置において、
前記被覆層の粉砕物及び水が導入される導入口を端部に有すると共に、負圧に保持される吸引手段と、
前記導入口にむけてウォータジェットを噴射するノズルとを備えたことを特徴とする被覆除去装置。
【請求項２】
前記吸引手段は、前面側で且つ前記構造物側の端部に設けられた前記導入口を有する筺体と、前記筺体の内部空間から排気しながら前記内部空間を負圧に保持する吸引ホースを有し、
前記ノズルは、前記筺体の前方に設けられて、前記導入口に向けてウォータジェットを噴射することを特徴とする請求項１記載の被覆除去装置。
【請求項３】
前記筺体の内側には、先端が前記筺体の前記内部空間から前記導入口に向かって傾斜するガイドプレートが設けられたことを特徴とする請求項２記載の被覆除去装置。
【請求項４】
前記導入口は、移動方向に対して直交する方向に延在し、前記ノズルは、前記導入口の長さより大きな振幅で往復運動することを特徴とする請求項１〜３のいずれか一項記載の被覆除去装置。
【請求項５】
先端に前記ノズルが固定された第１の揺動アームと、
先端にカウンタウエイトが固定された第２の揺動アームと、
前記第１の揺動アームの基端と前記第２の揺動アームの基端とを回転自在に支持する回転軸とを備え、
前記第１の揺動アームと前記第２の揺動アームとは、前記回転軸を中心にして相反する方向に揺動することを特徴とする請求項１〜４の何れか一項記載の被覆除去装置。
【請求項６】
前記吸引手段は、前記構造物側の端部で環状に設けられた前記導入口を有する筒体と、前記筒体の内部空間から排気しながら前記内部空間を負圧に保持する吸引ホースとを有し、
前記ノズルの先端部は、前記筒体の周囲を回転しながら前記導入口に向けてウォータジェットを噴射することを特徴とする請求項１記載の被覆除去装置。
【発明の詳細な説明】
【技術分野】
【０００１】
本発明は、構造物上に形成された被覆層上で移動させながら被覆層を水圧によって粉砕し除去する被覆除去装置に関する。
【背景技術】
【０００２】
従来のこのような分野の技術として、円形のカップ状筺体の内部に、特開２０００−２３８３１号公報に示すようなノズル装置が、取り付けられたものがある。この被覆除去装置では、筺体の上板の中心に中空の回転軸部が取り付けられ、回転軸の下端には、両端にノズルが設けられた分岐管が固定され、回転軸の上端から高圧の水が供給される。そして、被覆除去装置は、この筺体の開口部をアスベスト層の表面に接触させて、筺体に内部に配置されたノズルを回転させながらウォータジェットを噴射させ、筺体の移動によって、ウォータジェットで粉砕されて飛散するアスベストを筺体で受けながらアスベスト層を除去することができる。
【特許文献１】特開２０００−２３８３１号公報
【発明の開示】
【発明が解決しようとする課題】
【０００３】
ここで、筺体の内部でノズルを回転させることによってアスベストを除去する除去装置にあっては、厚みが数ミリ程度のアスベスト層であれば、筺体によって飛散を防止することができるが、厚みが数センチ程度のアスベスト層の場合、アスベスト層の深い位置まで除去が進行すると、アスベストの除去部分によって、筺体の下端の開口部の後側及び横側がアスベスト層から大きく隔離することになるので、ウォータジェットによって飛散するアスベストを筺体で十分に受けることができなくなる。
【０００４】
本発明は、ウォータジェットによって飛散するアスベスト等の被覆層の粉砕物を効率良く回収することができる被覆除去装置を提供することを目的とする。
【課題を解決するための手段】
【０００５】
本発明に係る被覆除去装置は、構造物上に形成された被覆層上で移動させながら被覆層を水圧によって粉砕し除去する被覆除去装置において、被覆層の粉砕物及び水が導入される導入口を端部に有すると共に、負圧に保持される吸引手段と、導入口にむけてウォータジェットを噴射するノズルとを備えたことを特徴とする。
【０００６】
この被覆除去装置では、吸引手段の導入口に向けてノズルからウォータジェットを噴射することによって、被覆層の厚みに関わらず、ノズルと導入口との間に存在する被覆層をウォータジェットの水圧で粉砕すると同時に、被覆層の粉砕物を周囲へ飛散させることなく導入口へ押し込むことができる。更に、吸引手段が負圧に保持されているため、被覆層の粉砕物及び被覆層の切除に利用した水を効率よく吸い込むことができる。これによって、ウォータジェットにより飛散する被覆層の粉砕物及び被覆層の切除に利用した水を吸引手段に効率良く取り込むことができる。従って、ウォータジェットによって被覆層の粉砕物を効率良く回収することができ、作業能率が格段に向上する。
【０００７】
また、吸引手段は、前面側で且つ構造物側の端部に設けられた導入口を有する筺体と、筺体の内部空間から排気しながら内部空間を負圧に保持する吸引ホースを有し、ノズルは、筺体の前方に設けられて、導入口に向けてウォータジェットを噴射することが好ましい。
【０００８】
ノズルから筺体前面側で且つ構造物側の端部に設けられた導入口に向けてウォータジェットを噴射することによって、被覆層の粉砕物は筺体の内部空間へ確実に押し込まれ、更に、筺体の内部空間が吸引ホースによって負圧に保持されているため、被覆層の粉砕物及び被覆層の切除に利用した水を効率よく、内部空間へ吸い込むことができる。これによって、ウォータジェットにより飛散する被覆層の粉砕物及び被覆層の切除に利用した水を筺体内に効率良く取り込むことができる。そして、筺体内の被覆層の粉砕物は吸引ホースによって筺体外へ排出される。
【０００９】
また、筺体の内側には、先端が筺体の内部空間から導入口に向かって傾斜するガイドプレートが設けられたことが好ましい。
【００１０】
導入口から吸引される被覆層の粉砕物を、ガイドプレートによって筺体の内部空間で舞い上がらせることができるので、被覆層の粉砕物の排出効率をも向上する。
【００１１】
また、導入口は、移動方向に対して直交する方向に延在し、ノズルは、導入口の長さより大きな振幅で往復運動することが好ましい。
【００１２】
ノズルが往復運動することによって、ウォータジェットが、導入口の延在する方向に沿って噴射されることとなる。これによって、移動方向の前方に存在する被覆層を広範囲にわたって導入口に押し込むことができ、装置の進路を十分広く確保することができるため、被覆層の粉砕物を効率よく除去することができる。
【００１３】
先端に前記ノズルが固定された第１の揺動アームと、先端にカウンタウエイトが固定された第２の揺動アームと、第１の揺動アームの基端と第２の揺動アームの基端とを回転自在に支持する回転軸とを備え、第１の揺動アームと第２の揺動アームとは、回転軸を中心にして相反する方向に揺動することが好ましい。
【００１４】
第１の揺動アームの動きに伴って先端のノズルが揺動すると、第２の揺動アームの先端に設けられたカウンタウェイトが、相反する方向に揺動するので、一本のノズルを簡単な構造でバランス良く往復運動させることが可能となる。
【００１５】
吸引手段は、構造物側の端部で環状に設けられた導入口を有する筒体と、筒体の内部空間から排気しながら内部空間を負圧に保持する吸引ホースとを有し、ノズルの先端部は、筒体の周囲を回転しながら導入口に向けてウォータジェットを噴射することが好ましい。
【００１６】
筒体の回りを回転するノズルから構造物側の端部で環状に設けられた導入口に向けてウォータジェットを噴射することによって、被覆層の粉砕物は筒体の内部空間へ確実に押し込まれ、更に、筒体の内部空間が吸引ホースによって負圧に保持されているため、被覆層の切除に利用した水を効率よく、被覆層の粉砕物と一緒に内部空間へ吸い込むことができる。これによって、ウォータジェットにより飛散する被覆層の粉砕物及び被覆層の切除に利用した水を筒体内に効率良く取り込むことができる。そして、筒体内の被覆層の粉砕物は吸引ホースによって筒体外へ排出される。
【発明の効果】
【００１７】
本発明に係る被覆除去装置によれば、ウォータジェットによって飛散する被覆層の粉砕物を効率良く回収することができる。
【発明を実施するための最良の形態】
【００１８】
以下、図面を参照しつつ本発明に係る被覆除去装置の好適な実施形態について詳細に説明する。本実施形態においては、構造物を被覆するアスベスト層を除去するアスベスト除去装置について説明する。
【００１９】
図１及び図２に示すように、アスベスト除去装置（被覆除去装置）１は、略直方体の内部空間２ａが設けられた筺体２と、アスベスト層２３に向かってウォータジェットＷを噴射してアスベストを粉砕するノズル３と、粉砕されたアスベスト（被覆層の粉砕物）を吸引する吸引機（吸引手段）４と、先端にノズル３が固定された第１の揺動アーム６と、先端にカウンタウエイト７が固定された第２の揺動アーム８と、第１の揺動アーム６及び第２の揺動アーム８を揺動させるエアモータ９とを有する。このアスベスト除去装置１は、構造物２２上に形成されたアスベスト層２３上で移動させながらノズル３からウォータジェットＷを噴射させて、アスベストを筺体２の内部へ導入し、筺体２内のアスベストを吸引機４で吸引することで、アスベストを除去している。なお、図１に示されているＸ軸及びＹ軸は水平面上で互いに９０度をなしている。
【００２０】
本実施形態におけるアスベスト層２３は、建造物の壁や柱となる金属製の構造物２２上に、アスベストが吹き付けられることによって、数ｃｍ程度の厚みで形成される。このアスベスト層２３は、乾式吹き付け式のアスベスト層である。
【００２１】
筺体２は、カップ状の略直方体をなし、構造物２２と接触する底面が矩形の開口部２ｂとして形成されている。筺体２の前面２ｃ側の下端部には水平方向に延在するアスベスト導入口（導入口）２ｄが形成されている。また、後面２ｅには、筺体２内に吸引したアスベストの排出を可能にする継ぎ手部２ｆが形成される。筺体２の内部空間２ａには、一方の側壁面と他方の側壁面との間を架け渡すように延在するガイドプレート１０が設けられる。ガイドプレート１０の上端は、両側壁面に両端が固定されたガイドプレート支持軸１０ａに固定され、ガイドプレート１０の先端１０ｂは、アスベスト導入口２ｄへ向かって傾斜し、アスベスト導入口２ｄ近傍まで延びている（図３参照）。なお、ガイドプレート１０は、図示しないバネなどによって、構造物２２側に押し付けられている。
【００２２】
筺体２の上面２ｇには、筺体２の前方へ向かって延在する第１の揺動アーム６及び第２及び揺動アーム８と、回転軸を中心にしてそれぞれの揺動アーム６，８を相反する方向に駆動させる揺動リンク機構Ａ（図４参照）とが設けられている。更に、上面２ｇには、揺動リンク機構Ａを取り囲んで保護するための断面コの字形の保護カバー１１，１２が設けられる。
【００２３】
第１の揺動アーム６の先端にはノズル取付部６ａが設けられ、ノズル３は、水平に対して傾き斜角度θをなすようにノズル取付部６ａに固定され、その噴射口３ａは前方からアスベスト導入口２ｄへ向けられている。また、ノズル３の給水側の端部は上方へ向かって直角に曲げられており、基端に継ぎ手部３ｂが設けられている。また、継ぎ手部３ｂには、外部の給水装置に接続されたチューブ３ｃが取り付けられる。なお、チューブ３ｃは、保護カバー１１の上面に固定されたチューブ保持部材１４のリング部１４ａによって保持されている。
【００２４】
吸引機４は、筺体２内の気体を吸引することによって内部空間２ａを負圧に保つと共に、飛散するアスベスト及びアスベストの切除に利用した水を除去することが可能な排水ポンプであり、吸引ホース４ａを介して筺体２の後側の継ぎ手部２ｆに接続されている。この吸引機４によって吸引されたアスベスト及び排水は、外部に設けられたタンク等に貯留される。なお、筺体２の内部空間２ａは、−５０〜１００ｍＨｇ程度に保たれている。
【００２５】
なお、後側の保護カバー１２の上面に固定されたエアモータ９は内部にタービンを有し、チューブ９ａから供給されるエアによって回転する。また、エアモータ９のタービンの回転軸は、保護カバー１２に収容されるカム板９ｂ（図４参照）の中心に固定され、カム板９ｂはタービンの回転に伴って回転する。また、作業員が握ってアスベスト除去装置１を移動させるためのコの字形のハンドル１３が、保護カバー１１の両側面を挟み込んで固定されている。
【００２６】
以上の構成によって、アスベスト除去装置１は、図２に示すように、ノズル３の噴射口３ａからアスベスト導入口２ｄに向けてウォータジェットＷを噴射することによって、アスベスト層２３の厚みに関わらず、ノズル３とアスベスト導入口２ｄとの間に存在するアスベストをウォータジェットＷの水圧で粉砕すると同時に、アスベストを周囲へ飛散させることなくアスベスト導入口２ｄへ押し込むことができる。更に、筺体２の内部空間２ａは吸引機４によって負圧に保持されているため、粉砕されたアスベスト及びアスベストの切除に利用した水を効率よく、内部空間２ａに吸い込むことができる。これによって、ウォータジェットＷにより飛散するアスベスト及びアスベストの切除に利用した水を筺体２内に効率良く取り込むことができ、筺体２内のアスベストは吸引ホース４ａ及び吸引機４によって筺体２外へ排出される。従って、ウォータジェットＷによってアスベストを効率良く回収することができる。
【００２７】
また、筺体２の内側に設けられたガイドプレート１０の先端１０ｂがアスベスト導入口２ｄ付近の空間を制限することによって、アスベスト導入口２ｄにおける吸引効果を確実なものにできる。更に、アスベスト導入口２ｄから吸引されるアスベストを、ガイドプレート１０によって筺体２の内部空間２ａで舞い上がらせることができるので、アスベストの排出効率をも向上する。
【００２８】
次に、第１の揺動アーム６、第２の揺動アーム８及びそれらの揺動リンク機構Ａについて図４〜図６を参照して説明する。
【００２９】
図４に示すように、第１の揺動アーム６は、回転軸１６によって回転可能に支持され、回転軸１６から前方に向かって延びるアーム部６ｂはＹ軸に対してＸ軸の正の側で所定角度をなし、回転軸１６からエアモータ９側へ延びる端部６ｃはＹ軸方向と平行をなす。同様に、第２の揺動アーム８は、回転軸１６によって回転可能に支持され、回転軸１６から前方に向かって延びるアーム部８ａはＹ軸に対してＸ軸の負の側で所定角度をなし、回転軸１６からエアモータ側へ延びる端部８ｂはＹ軸方向と平行をなす。
【００３０】
エアモータ９によって回転する円板状のカム板９ｂの前方には、カム板９ｂの回転に伴ってＹ軸方向で往復運動するスライダ１７が設けられる。第１の揺動アーム６の端部６ｃとスライダ１７とは、Ｙ軸方向へ延びる連結棹１８で連結され、第２の揺動アーム８の端部８ｂとスライダ１７とは、Ｙ軸方向へ延びる連結棹１９で連結される。また、カム板９ｂとスライダ１７とは、Ｙ軸方向へ延びる連結棹２１で連結される。なお、図４の状態において、カム板９ｂと連結棹２１とが接続されるピン２１ａは最もスライダ１７から離れた位置にあり、スライダ１７は最もカム板９ｂに引き寄せられた状態になっている。
【００３１】
図５に示すように、カム板９ｂが回転してピン２１ａがスライダ１７に近づいてゆくと、連結棹２１を介してスライダ１７がＹ軸の負の方向へ移動する。これによって、第１の揺動アーム６の端部６ｃは、連結棹１８を介してスライダ１７で押されることによって回転軸１６を中心として反時計回りに回転し、それに伴いアーム部６ｂも反時計回りに回転する。また、第２の揺動アーム８の端部８ｂは、連結棹１９を介してスライダ１７で押されることによって回転軸１６を中心として時計回りに回転し、それに伴いアーム部８ａも時計回りに回転する。
【００３２】
図６は、第１の揺動アーム６を往復運動させながらアスベスト除去装置１を移動させ、その移動に伴ってアスベスト除去領域２４が進行していく様子を示す図である。図６に示すように、第１の揺動アーム６に伴ってノズル３が往復運動するため、ウォータジェットＷが、アスベスト導入口２ｄの延在する方向に沿って噴射されることとなる。これによって、アスベスト除去装置１の移動方向の前方に存在するアスベスト層２３を広範囲にわたってアスベスト導入口２ｄに押し込むことができ、アスベスト層２３を効率よく除去することができる。特に、ノズル３が、アスベスト導入口の長さよりも大きな振幅で往復運動するため、筺体２の幅よりも広い幅でアスベスト層２３を除去できる。これによって、筺体２の幅以上のアスベスト層２３を除去し、十分広い進路を確保することができ、アスベスト除去装置１をスムーズに移動させることができる。
【００３３】
また、第１の揺動アーム６の動きに伴って先端のノズル３が揺動すると、第２の揺動アーム８の先端に設けられたカウンタウエイト７が、相反する方向に揺動するので、一本のノズル３を簡単な構造でバランス良く往復運動させることが可能となる。
【００３４】
アスベスト除去装置の変形例として、図７に示すようなものを用いてもよい。図７に示すように、アスベスト除去装置（被覆除去装置）３１は、吸引ホース３４ａを介して接続された吸引機３４によって内部空間３２ａが負圧に保持されると共に、構造物２２側の端部に環状なアスベスト導入口３２ｄが形成された配管（筒体）３２と、配管３２に対して回転自在であると共に、アスベスト導入口３２ｄへ向かってウォータジェットを噴出するノズル３３と、アスベスト導入口３２ｄから吸引されるアスベストを上方へガイドするために、配管３２の先端部分３２Ａで先端に向かって広がるように傾斜する略円錐状のガイド部材４０と、ガイド部材４０が固定されて、高圧水をノズル３３まで導く給水管３７とを備えている。
【００３５】
ノズル３３は、給水管３７の先端部及び配管３２に対して鉛直軸線周りに回転可能に支持された一対のノズル本体部３３ｄと、各ノズル本体部３３ｄの端部から先端が下方且つ内側に折り曲げられて噴射口３３ａがアスベスト導入口３２ｄへ向けられた先端部３３ｅとを備えている。更に、ノズル３３は、ノズル本体部３３ｄの基端に設けられると共に、給水管３７に対して回転自在な中空回転部３３ｂと、ノズル本体部３３ｄに固定されると共に、配管３２に設けられたリング状の切断部分を閉鎖する環状な封鎖帯３２ｂとを備えている。
【００３６】
給水管３７から供給された高圧水は、給水管３７の先端側の側面に複数箇所設けられた連通孔３３ｆを介して中空回転部３３ｂの内部空間３３ｇへ供給された後、ノズル本体部３３ｄ及び先端部３３ｅへ供給される。そして、先端部３３ｅの噴射口３３ａからウォータジェットＷが噴射することに伴って発生する推力により、ノズル本体部３３ｄ及び先端部３３ｅが回転する。なお、ノズル本体部３３ｄ及び先端部３３ｅを上方から覆うように、カップ状のカバー３５が配管３２に固定されている。これによって、回転しているノズル本体部３３ｄに作業者が触れることを防止することができる。
【００３７】
また、ガイド部材４０と配管３２の先端部分３２Ａとは、水平方向に延在し且つガイド部材４０及び先端部分３２Ａを貫通する複数本の連結バー３６によって連結されている。これによって、配管３２の先端部分３２Ａがガイド部材４０に固定される。
【００３８】
以上の構成によって、アスベスト除去装置３１は、ノズル３３の噴射口３３ａからアスベスト導入口３２ｄに向けてウォータジェットＷを噴射させながら自転することによって、アスベスト層２３の厚みに関わらず、先端部３３ｅとアスベスト導入口３２ｄとの間に存在するアスベストをウォータジェットＷの水圧で粉砕すると同時に、粉砕されたアスベストを周囲へ飛散させることなくアスベスト導入口３２ｄへ押し込むことができる。更に、配管３２の内部空間３２ａは吸引機３４によって負圧に保持されているため、アスベスト及びアスベストの切除に利用した水を効率よく内部空間３２ａに吸い込むことができ、配管３２内のアスベストは吸引ホース３４ａを介して吸引機３４により外部へ排出される。
【００３９】
本発明は、上述した実施形態に限定されるものではない。
【００４０】
例えば、乾式吹き付け式のアスベスト層に適用しているが、アスベストとセメントを混合させて吹き付けた湿式吹き付け式のアスベスト層に適用してもよい。湿式吹き付け式のアスベスト層は乾式吹き付け式よりも固い層となるので、ノズルの往復又は回転速度を遅くすることが好ましい。また、構造物の被覆はアスベストに限らず、例えば、ロックウールなどであってもよい。
【図面の簡単な説明】
【００４１】
【図１】本発明に係るアスベスト除去装置の斜視図である。
【図２】図１に示すアスベスト除去装置の断面図である。
【図３】図２に示すアスベスト除去装置の部分拡大図である。
【図４】第１及び第２の揺動アームとリンク機構とを示す平面図である。
【図５】第１及び第２の揺動アームとリンク機構とを示す平面図である。
【図６】本発明に係るアスベスト除去装置がアスベスト層を除去する様子を示す概略平面図である。
【図７】他の実施形態に係るアスベスト除去装置の断面図である。
【符号の説明】
【００４２】
１，３１…アスベスト除去装置（被覆除去装置）、２…筺体（吸引手段）、２ａ，３２ａ…内部空間、２ｄ，３２ｄ…アスベスト導入口（導入口）、３，３３…ノズル、４，３４…吸引機（吸引手段）、４ａ，３４ａ…吸引ホース（吸引手段）、６…第１の揺動アーム、８…第２の揺動アーム、１０…ガイドプレート、１６…回転軸、２２…構造物、２３…アスベスト層（被覆層）、３２…配管（筒体）、３３ｅ…ノズルの先端部、４０…ガイド部材（ガイドプレート）。
【図１】
2008297884.tif 000003
【図２】
2008297884.tif 000004
【図３】
2008297884.tif 000005
【図４】
2008297884.tif 000006
【図５】
2008297884.tif 000007
【図６】
2008297884.tif 000008
【図７】
2008297884.tif 000009